【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
仮欠陥管理領域と最終欠陥管理領域を備えた追記型光記録媒体における管理情報を記録する方法において、
記録媒体の使用中に生成された管理情報を前記仮欠陥管理領域に記録するステップと、
記録媒体の最終欠陥管理領域・フィルインステージで、前記仮欠陥管理領域の最新の管理情報を前記最終欠陥管理領域へ転送し、記録するステップと、
を含むことを特徴とする管理情報の記録方法。
【請求項２】
前記記録媒体の前記最終欠陥管理領域・フィルインステージは、前記記録媒体がクローズする時であることを特徴とする請求項１に記載の管理情報の記録方法。
【請求項３】
前記記録媒体は、前記記録媒体のユーザーデータ領域への更なるデータの記録が許容されない時にクローズすることを特徴とする請求項２に記載の管理情報の記録方法。
【請求項４】
前記転送するステップにおいて、前記最新の管理情報は、前記記録媒体に関する最新の仮欠陥リスト情報と最新の仮ディスク定義構造情報を含むことを特徴とする請求項３に記載の管理情報の記録方法。
【請求項５】
前記記録媒体は、前記仮欠陥管理領域が満杯になり、前記仮欠陥管理領域への更なる管理情報の記録ができない時にクローズすることを特徴とする請求項２に記載の管理情報の記録方法。
【請求項６】
前記転送するステップにおいて、前記最新の管理情報は、前記記録媒体に関する最新の仮欠陥リスト情報と最新の仮ディスク定義構造情報であることを特徴とする請求項５に記載の管理情報の記録方法。
【請求項７】
前記記録媒体は、ユーザーからの要求によりクローズすることを特徴とする請求項２に記載の管理情報の記録方法。
【請求項８】
前記転送するステップにおいて、前記最新の管理情報は、前記記録媒体に関する最新の仮欠陥リスト情報と最新の仮ディスク定義構造情報を含むことを特徴とする請求項７に記載の管理情報の記録方法。
【請求項９】
前記記録媒体は、スペア領域及びユーザーデータ領域を更に含み、
前記転送するステップにおいて、前記最終欠陥管理領域・フィルインステージは、前記記録媒体の前記ユーザーデータ領域に記録可能領域が残っていない場合であっても前記スペア領域と前記仮欠陥管理領域に記録可能な領域が残っている場合であり、当該場合に前記仮欠陥管理領域の最新の管理情報を前記最終欠陥管理領域の第１の領域へと転送することを特徴とする請求項１に記載の管理情報の記録方法。
【請求項１０】
前記記録媒体の第２の最終欠陥管理領域・フィルインステージで前記仮欠陥管理領域の最新の管理情報を前記最終欠陥管理領域の第２の領域へと転送し、記録することを特徴とする請求項９に記載の管理情報の記録方法。
【請求項１１】
前記記録媒体の前記第２の最終欠陥管理領域・フィルインステージは、前記記録媒体がクローズする時であることを特徴とする請求項１０に記載の管理情報の記録方法。
【請求項１２】
前記管理情報が前記最終欠陥管理領域の前記第１の領域に記録される場合、前記記録媒体の再生中に欠陥管理が行われ、前記管理情報が前記最終欠陥管理領域の前記第２の領域に記録される場合、前記記録媒体の再生中には欠陥管理が行われないことを特徴とする請求項１１に記載の管理情報の記録方法。
【請求項１３】
前記記録媒体は、前記仮欠陥管理領域が満杯になり、前記仮欠陥管理領域への更なる管理情報の記録ができない時にクローズすることを特徴とする請求項１１に記載の管理情報の記録方法。
【請求項１４】
前記少なくとも一つの転送するステップにおいて、前記最新の管理情報は、前記記録媒体に関する最新の仮欠陥リスト情報と最新の仮ディスク定義構造情報を含むことを特徴とする請求項１３に記載の管理情報の記録方法。
【請求項１５】
前記記録媒体は、ユーザーからの要求によりクローズすることを特徴とする請求項１１に記載の管理情報の記録方法。
【請求項１６】
前記少なくとも一つの転送するステップにおいて、前記最新の管理情報は、前記記録媒体に関する最新の仮欠陥リスト情報と最新の仮ディスク定義構造情報を含むことを特徴とする請求項１５に記載の管理情報の記録方法。
【請求項１７】
前記記録媒体は、追記型ブルーレイディスクであることを特徴とする請求項１に記載の管理情報の記録方法。
【請求項１８】
前記転送するステップにおいて、前記最新の管理情報は、最終欠陥管理領域・フィルインの種類を表す状態フラグを含むことを特徴とする請求項１に記載の管理情報の記録方法。
【請求項１９】
仮欠陥管理領域と最終欠陥管理領域を備え、前記最終欠陥管理領域が、欠陥リスト情報を格納する欠陥リスト領域を備えた追記型光記録媒体における管理情報を記録する方法において、
前記記録媒体における欠陥管理を行わない場合、前記最終欠陥管理領域の前記欠陥リスト領域に予め決められた値を設定するステップと、
前記記録媒体の使用中に生成された管理情報を前記仮欠陥管理領域に記録するステップと、
前記記録媒体がクローズする時点で、前記仮欠陥管理領域の前記最新の管理情報を前記最終欠陥管理領域へと転送するステップと、
を含んでいることを特徴とする管理情報の記録方法。
【請求項２０】
前記最終欠陥管理領域は、ディスク定義構造情報を格納するためのディスク定義構造領域を更に含み、
前記転送するステップにおいて、前記仮欠陥管理領域の前記最新の管理情報は、前記記録媒体に関する最新のディスク定義構造情報として前記最終欠陥管理領域の前記ディスク定義構造情報領域へと転送されることを特徴とする請求項１９に記載の管理情報の記録方法。
【請求項２１】
前記記録媒体は、前記記録媒体のユーザーデータ領域への更なるデータの記録が許容されない時にクローズすることを特徴とする請求項１９に記載の管理情報の記録方法。
【請求項２２】
前記記録媒体は、前記仮欠陥管理領域が満杯になり、前記仮欠陥管理領域への更なる管理情報の記録ができない時にクローズすることを特徴とする請求項１９に記載の管理情報の記録方法。
【請求項２３】
前記記録媒体は、ユーザーからの要求によりクローズすることを特徴とする請求項１９に記載の管理情報の記録方法。
【請求項２４】
前記記録媒体は、追記型ブルーレイディスクであることを特徴とする請求項１９に記載の管理情報の記録方法。
【請求項２５】
前記転送するステップにおいて、前記最新の管理情報は、前記記録媒体のクローズの種類を表す状態フラグを含むことを特徴とする請求項１９に記載の管理情報の記録方法。
【請求項２６】
仮欠陥管理領域と最終欠陥管理領域を備えた追記型光記録媒体における管理情報を記録する装置において、
前記記録媒体の使用中に生成された管理情報を仮欠陥管理領域に記録する手段と、
前記記録媒体の最終欠陥管理領域・フィルインステージで、前記仮欠陥管理領域の最新の管理情報を前記最終欠陥管理領域へと転送し、記録する手段と、
を含むことを特徴とする管理情報の記録装置。
【請求項２７】
仮欠陥管理領域と最終欠陥管理領域を備え、前記最終欠陥管理領域が、欠陥リスト情報を格納する欠陥リスト領域を備えた追記型光記録媒体における管理情報を記録する装置において、
前記記録媒体における欠陥管理を行わない場合、前記最終欠陥管理領域の前記欠陥リスト領域に予め決められた値を設定する手段と、
前記記録媒体の使用中に生成された管理情報を前記仮欠陥管理領域に記録する手段と、
前記記録媒体がクローズする時点で、前記仮欠陥管理領域の最新の管理情報を前記最終欠陥管理領域へと転送し、記録する手段と、
を含むことを特徴とする管理情報の記録装置。
【請求項２８】
管理情報を記録する追記型光記録媒体において、前記記録媒体は、
仮欠陥管理領域と最終欠陥管理領域を備えた少なくとも一つの記録層を含み、
前記記録媒体の使用中に生成された管理情報を前記仮欠陥管理領域に記録し、
前記記録媒体の最終欠陥管理領域・フィルインステージで、前記仮欠陥管理領域の最新の管理情報を前記最終欠陥管理領域へと転送することを特徴とする追記型光記録媒体。
【請求項２９】
前記記録媒体の前記最終欠陥管理領域・フィルインステージは、前記記録媒体がクローズする時であることを特徴とする請求項２８に記載の記録媒体。
【請求項３０】
前記少なくとも一つの記録層は、スペア領域とユーザーデータ領域を更に含み、
前記最終欠陥管理領域・フィルインステージは、前記記録媒体の前記ユーザーデータ領域に更に記録可能な領域が残っていない場合であっても前記スペア領域と前記仮欠陥管理領域に記録可能な領域が残っている場合であり、当該場合に前記仮欠陥管理領域の最新の管理情報を前記最終欠陥管理領域の第１の領域へと転送することを特徴とする請求項２８に記載の記録媒体。
【請求項３１】
管理情報を記録する追記型光記録媒体において、前記記録媒体は、
仮欠陥管理領域と最終欠陥管理領域を備えた少なくとも一つの記録層を含み、前記最終欠陥管理領域が、欠陥リスト情報を格納する欠陥リスト領域を備え、
前記記録媒体における欠陥管理を行わない場合、前記最終欠陥管理領域の前記欠陥リスト領域内に予め決められた値を設定し、
前記記録媒体の使用中に生成された管理情報を前記仮欠陥管理領域に記録し、
前記記録媒体がクローズする時に前記仮欠陥管理領域の最新の管理情報を前記最終欠陥管理領域に転送し、記録することを特徴とする追記型記録媒体。
【請求項３２】
仮欠陥管理領域と最終欠陥管理領域を備えた追記型光記録媒体における管理情報を記録する処理を実行させるプログラムを記録したコンピュータ読み取り可能な記録媒体において、
前記追記型光記録媒体の使用中に生成された管理情報を前記仮欠陥管理領域に記録する手順と、
前記追記型光記録媒体の最終欠陥管理領域・フィルインステージで、前記仮欠陥管理領域の最新の管理情報を前記最終欠陥管理領域へ転送し、記録する手順、
を実行させるためのプログラムを記録したコンピュータ読み取り可能な記録媒体。
【請求項３３】
仮欠陥管理領域と最終欠陥管理領域を備えた追記型光記録媒体における管理情報を記録する処理を実行させるプログラムにおいて、
前記追記型光記録媒体の使用中に生成された管理情報を前記仮欠陥管理領域に記録する手順と、
前記追記型光記録媒体の最終欠陥管理領域・フィルインステージで、前記仮欠陥管理領域の最新の管理情報を前記最終欠陥管理領域へ転送し、記録する手順、
を実行させるためのプログラム。
【手続補正２】
【補正対象書類名】明細書
【補正対象項目名】発明の名称
【補正方法】変更
【補正の内容】
【発明の名称】追記型光ディスクと追記型光ディスクの管理情報の記録方法及び装置
【手続補正３】
【補正対象書類名】明細書
【補正対象項目名】０００１
【補正方法】変更
【補正の内容】
【０００１】
本発明は、追記型光ディスクと管理情報の記録法方及び装置に関し、特に、追記型光ディスクにおいて管理情報を効率的に記録する方法及び装置に関するものである。
【手続補正４】
【補正対象書類名】明細書
【補正対象項目名】０００４
【補正方法】変更
【補正の内容】
【０００４】
ブルーレイディスクに関する各種の標準案が設けられ、書き換え可能なブルーレイディスク（ＢＤ−ＲＥ）及び追記型ブルーレイディスク（ＢＤ−ＷＯ）に関する標準案が開発されつつある。
【手続補正５】
【補正対象書類名】明細書
【補正対象項目名】０００７
【補正方法】変更
【補正の内容】
【０００７】
これに対し、追記型ディスク（ＢＤ−ＷＯ）では、ディスクの特定領域への記録が１回だけ可能であることから、記録方式に多くの制約が伴い、特に、ディスクの全域に対するランダムな使用は、事実上、欠陥管理が難しいために困難である。
【手続補正６】
【補正対象書類名】明細書
【補正対象項目名】００１０
【補正方法】変更
【補正の内容】
【００１０】
本発明は、前記のような従来技術の制限及び不合理な面に起因する多くの問題点を実質的に解決するためのものであって、その目的は、ディスクの管理情報を追記型光ディスク内の複数の管理領域に記録する方法を提供することにある。
【手続補正７】
【補正対象書類名】明細書
【補正対象項目名】００１２
【補正方法】変更
【補正の内容】
【００１２】
上記目的を達成するための本発明に係る追記型記録媒体における管理情報の記録方法は、仮欠陥管理領域（ＴＤＭＡ）と最終欠陥管理領域（ＤＭＡ）を備えた追記型光記録媒体における管理情報を記録する方法において、記録媒体の使用中に生成された管理情報をＴＤＭＡ上に記録するステップと、記録媒体のＤＭＡフィルインの時点で、前記ＴＤＭＡの最新の管理情報をＤＭＡ内へと移記するステップと、を含んでいることを特徴とする。
【手続補正８】
【補正対象書類名】明細書
【補正対象項目名】００１３
【補正方法】変更
【補正の内容】
【００１３】
本発明に係る追記型記録媒体における他の管理情報の記録方法は、仮欠陥管理領域（ＴＤＭＡ）と最終欠陥管理領域（ＤＭＡ）を備え、前記ＤＭＡが、欠陥リスト情報を格納する欠陥リスト領域を備えた追記型光記録媒体における管理情報を記録する方法において、仮に、記録媒体における欠陥管理（ＤＭ）を行わない場合、ＤＭＡの欠陥リスト領域内に予め決められた値を設定するステップと、記録媒体の使用中に生成された管理情報をＴＤＭＡ上に記録するステップと、記録媒体が終了する時点で、前記ＴＤＭＡの最新の管理情報をＤＭＡ内へと移記するステップと、を含んでいることを特徴とする。
【手続補正９】
【補正対象書類名】明細書
【補正対象項目名】００１４
【補正方法】変更
【補正の内容】
【００１４】
本発明に係る追記型記録媒体における管理情報の記録装置は、仮欠陥管理領域（ＴＤＭＡ）と最終欠陥管理領域（ＤＭＡ）を備えた追記型光記録媒体における管理情報を記録する装置において、記録媒体の使用中に生成された管理情報をＴＤＭＡ上に記録する手段と、記録媒体のＤＭＡフィルインの時点で、前記ＴＤＭＡの最新の管理情報をＤＭＡ内へと移記する手段と、を含んでいることを特徴とする。
【手続補正１０】
【補正対象書類名】明細書
【補正対象項目名】００１５
【補正方法】変更
【補正の内容】
【００１５】
本発明に係る追記型記録媒体における他の管理情報の記録装置は、仮欠陥管理領域（ＴＤＭＡ）と最終欠陥管理領域（ＤＭＡ）を備え、前記ＤＭＡが、欠陥リスト情報を格納する欠陥リスト領域を備えた追記型光記録媒体における管理情報を記録する装置において、仮に、記録媒体における欠陥管理（ＤＭ）を行わない場合、ＤＭＡの欠陥リスト領域内に予め決められた値を設定する手段と、記録媒体の使用中に生成された管理情報をＴＤＭＡ上に記録する手段と、記録媒体が終了する時点で、前記ＴＤＭＡの最新の管理情報をＤＭＡ内へと移記する手段と、を含んでいることを特徴とする。
【手続補正１１】
【補正対象書類名】明細書
【補正対象項目名】００１６
【補正方法】変更
【補正の内容】
【００１６】
本発明に係る追記型記録媒体は、管理情報を記録する追記型光記録媒体において、仮欠陥管理領域（ＴＤＭＡ）と最終欠陥管理領域（ＤＭＡ）を備えた少なくとも一つの記録層を含み、記録媒体の使用中に生成された管理情報をＴＤＭＡ上に記録し、記録媒体のＤＭＡフィルインの時点で、前記ＴＤＭＡの最新の管理情報をＤＭＡ内へと移記することを特徴とする。
【手続補正１２】
【補正対象書類名】明細書
【補正対象項目名】００１７
【補正方法】変更
【補正の内容】
【００１７】
本発明に係る他の追記型記録媒体は、管理情報を記録する追記型光記録媒体において、仮欠陥管理領域（ＴＤＭＡ）と最終欠陥管理領域（ＤＭＡ）を備えた少なくとも一つの記録層を含み、前記ＤＭＡが、欠陥リスト情報を格納する欠陥リスト領域を備え、仮に、記録媒体における欠陥管理（ＤＭ）を行わない場合、ＤＭＡの欠陥リスト領域内に予め決められた値を設定し、記録媒体の使用中に生成された管理情報をＴＤＭＡ上に記録し、記録媒体が終了する時点で前記ＴＤＭＡの最新の管理情報をＤＭＡ内へと移記することを特徴とする。
【手続補正１３】
【補正対象書類名】明細書
【補正対象項目名】００２０
【補正方法】変更
【補正の内容】
【００２０】
図２は、本発明に係る光ディスクの記録再生装置２０について示したブロック図である。光ディスクの記録再生装置２０は、記録媒体２１にデータを記録したり記録媒体からデータを読み込むピックアップ２２と、ピックアップを制御し、ピックアップの対物レンズと記録媒体２１との間隔を一定に保持し、記録媒体２１上のトラックをトラッキングサーボし一定に保持するサーボ２３と、ピックアップで読み込んだ信号を処理したり、記録のためにピックアップに入力すべき信号を信号処理するデータプロセッサ２４と、外部ホスト３０とのデータ及び／またはコマンドをやり取りするインターフェイス２５と、記録媒体２１に関する欠陥管理データ（例えば、仮管理情報など）を含む情報とデータを格納するメモリまたはストレージ２７と、記録再生装置２０の各構成要素の動作を制御するマイコンまたは制御部２６と、を含む。記録媒体２１に記録したり、記録媒体２１から読み込んだデータは、メモリ２７に格納される。また、光記録再生装置２０内の全ての構成要素は、連動可能に相互接続されており、前記記録媒体２１は、ＢＤ−ＷＯのような追記型記録媒体である。
【手続補正１４】
【補正対象書類名】明細書
【補正対象項目名】００２２
【補正方法】変更
【補正の内容】
【００２２】
本発明の実施例に係るＢＤ−ＷＯのような追記型光ディスクのための管理情報の記録方法について、図面を参照して詳しく説明する。説明の便宜上、追記型ブルーレイディスク（ＢＤ−ＷＯ）を例に挙げて説明し、本明細書では、ＢＤ−ＷＯの二つのタイプ（単層ＢＤ−ＷＯ及び二層ＢＤ−ＷＯ）に対して述べることにする。前記単層ＢＤ−ＷＯは、一つの記録層を有し、前記二層ＢＤ−ＷＯは、二つの記録層を有している。
【手続補正１５】
【補正対象書類名】明細書
【補正対象項目名】００２３
【補正方法】変更
【補正の内容】
【００２３】
図３は、本発明に係る追記型光記録媒体であって、単層ＢＤ−ＷＯの構造を示した図である。同図に示したように、ＢＤ−ＷＯは、一つの記録層上に割り当てられたリードイン領域、データ領域、リードアウト領域を含む。リードイン領域及びリードアウト領域のそれぞれは、欠陥管理のためのＤＭＡ情報を格納する複数の欠陥管理領域（ＤＭＡ１とＤＭＡ２；ＤＭＡ３とＤＭＡ４）を含んでいる。それぞれのＤＭＡ１〜４は、固定された大きさ、例えば、３２クラスタを有し、一般に、欠陥管理の重要性からそれぞれのＤＭＡには同一の情報が記録される。従って、仮にＤＭＡのいずれかに欠陥があるとしても別のＤＭＡにアクセス可能であり、これにより欠陥管理情報が得られるようになる。
【手続補正１６】
【補正対象書類名】明細書
【補正対象項目名】００３７
【補正方法】変更
【補正の内容】
【００３７】
従来の追記型光ディスクでは、前記記録状態情報を、ＣＤ系列では‘トラック情報（ｔｒａｃｋ  ｉｎｆｏｒｍａｔｉｏｎ）’と称し、ＤＶＤ系列では‘Ｒｚｏｎｅ’、‘フラグメント（ｆｒａｇｍｅｎｔ）’、または‘レコーディング・レンジ（ｒｅｃｏｒｄｉｎｇ  ｒａｎｇｅ）’と称していたが、本発明では、記録状態情報として前記言及した様々な名称を統合し、これを‘トラック・インフォ（ｔｒａｃｋ−ｉｎｆｏ）’と称す。従って、‘トラック・インフォ’は、その名称に関係なく前記した意味として解釈されるものである。
【手続補正１７】
【補正対象書類名】明細書
【補正対象項目名】００４０
【補正方法】変更
【補正の内容】
【００４０】
図５は、本発明の他の実施例であって、単層ＢＤ−ＷＯのような追記型光ディスクの構造を示した図である。同図に示したＢＤ−ＷＯの構造は、図３に示したＢＤ−ＷＯの構造と同一であるが、図５では、前述したＴＤＤＳ情報内のＴＤＤＳパートがアップデート毎に記録されるという点で相違している。本例では、前記ディスク使用管理情報（Ｔｒａｃｋ−ＩｎｆｏまたはＳＢＭ）がＴＤＭＡ１のクラスタ内の先頭セクタ０〜３０に記録され、ＴＤＤＳパートは、当該クラスタのセクタ３１に記録される。他の例として、前記ＴＤＤＳパートを先頭セクタ０に記録し、前記ディスク使用管理情報（Ｔｒａｃｋ−ＩｎｆｏまたはＳＢＭ）をセクタ１〜３１に記録してもよい。
【手続補正１８】
【補正対象書類名】明細書
【補正対象項目名】００６５
【補正方法】変更
【補正の内容】
【００６５】
【図１】一般の単層ＢＤ−ＲＥの構成を概略的に示す図である。
【図２】本発明に係る光記録再生装置を示すブロック図である。
【図３】本発明に係る追記型光ディスクであって単層ＢＤ−ＷＯの構造を示す図である。
【図４】本発明に係るＢＤ−ＷＯのディスク管理情報の記録方法と、書き換え可能なディスクでのＤＤＳ構造と、ＢＤ−ＷＯでのＴＤＤＳ構造を例を挙げて示す図である。
【図５】本発明に係る追記型光ディスクであって別の単層ＢＤ−ＷＯの構造を示す図である。
【図６ａ】本発明の実施例に係る単層ＢＤ−ＷＯのＤＭＡ構造を例を挙げて示す図である。
【図６ｂ】本発明に係る図６ａのＤＭＡ構造と、ＴＤＭＡ構造、及びＴＤＭＡからＤＭＡへとデータを移記する方法を示す図である。
【図６ｃ】本発明の実施例に係る二層ＢＤ−ＷＯのＤＭＡ構造を例を挙げて示す図である。
【図７】本発明の第１の実施例に係るＤＭＡフィルイン（ｆｉｌｌ−ｉｎ）プロセスに関わるタイミング、コンテンツ、位置情報をテーブルで例を挙げて示す図である。
【図８】本発明の第２の実施例に係るＤＭＡフィルイン（ｆｉｌｌ−ｉｎ）プロセスに関わるタイミング、コンテンツ、位置情報をテーブルで例を挙げて示す図である。
【図９ａ】本発明の第３の実施例に係るＤＭＡフィルイン（ｆｉｌｌ−ｉｎ）プロセスに関わるタイミング、コンテンツ、位置情報をテーブルで例を挙げて示す図である。
【図９ｂ】図９ａに適用される前記ＤＭＡを例を挙げて示す図である。
【図１０】本発明に係るＤＭＡ内のＤＤＳセクション内にＤＤＳ情報の一部としてＴＤＤＳ／ＤＤＳ状態フラグ値を記録する一例を示す図である。